(57)【要約】      （修正有）【課題】電源コード同士が干渉するのを抑制しながら、警報器の組立作業性が低下するのを抑制することが可能な警報器を提供する。【解決手段】警報器は、センサ、表示部およびスピーカが内部に配置されている本体ケース１０と、本体ケース１０の背面１１に取付可能に構成され、本体ケース１０の背面１１との間において、本体ケース１０に接続されている電源コード５が収容される収容部を構成する取付板２０とを備える。本体ケース１０には、電源コード５を保持する保持部が設けられている。【選択図】図４
2018185788.tif 000002
【特許請求の範囲】
【請求項１】
センサおよび前記センサによる検知を報知する報知部が内部に配置されている警報器本体と、
前記警報器本体の背面に取付可能に構成され、前記警報器本体の背面との間において、前記警報器本体に接続されている電源コードが収容される収容部を構成する電源コード収容部材とを備え、
前記警報器本体には、前記電源コードが巻き回される領域内に前記電源コードを保持する保持部が設けられており、
前記警報器本体の背面には、前記電源コードをガイドするガイド溝部が設けられており、
前記保持部は、前記ガイド溝部とは別個に設けられている、警報器。
【請求項２】
前記保持部は、前記警報器本体の背面から前記電源コード収容部材側に突出するとともに、前記電源コードを挟んで保持する一対の突出部を含む、請求項１に記載の警報器。
【請求項３】
前記一対の突出部は、前記電源コードの横断面形状における長手方向の長さよりも小さく、かつ、前記電源コードの横断面形状における短手方向の長さ以上の距離を隔てて配置されている、請求項２に記載の警報器。
【請求項４】
前記保持部は、前記ガイド溝部に沿って配置されている、請求項１〜３のいずれか１項に記載の警報器。
【請求項５】
前記保持部は、前記警報器本体の背面から前記電源コード収容部材側に突出するとともに、前記電源コードをガイドするガイド壁部を含む、請求項１〜４のいずれか１項に記載の警報器。
【請求項６】
前記ガイド壁部は、前記ガイド溝部の内壁部に連続して形成されている、請求項５に記載の警報器。
【請求項７】
前記警報器本体には、前記電源コードが巻き回される領域外に設けられ、前記警報器本体内部から前記電源コードが取り出されるコード取出し部が設けられており、
前記ガイド溝部は、前記コード取出し部から前記保持部まで前記電源コードをガイドするように形成されている、請求項１〜６のいずれか１項に記載の警報器。
【発明の詳細な説明】
【技術分野】
【０００１】
この発明は、警報器に関する。
【背景技術】
【０００２】
従来、警報器が知られている（たとえば、特許文献１参照）。
【０００３】
上記特許文献１には、警報器本体の裏側に配置される裏側部材と、警報器本体とは別個に形成され、裏側部材との間の空間に電源コードを巻き付けて収容する収容部を形成するケース部材とを備える警報器が開示されている。この警報器では、裏側部材の隅部に設けられた孔部を介して、電源コードが警報器本体に接続された状態で、警報器本体から取り出される。そして、電源コードは、裏側部材からケース部材が取り外された状態で、ケース部材の掛止め部に引っ掛けられる。そして、電源コードがケース部材の掛止め部に引っ掛けられた状態を維持しながら、裏側部材にケース部材が取り付けられる。その後、裏側部材とケース部材との間に形成される収容部に、電源コードが巻き付けられる。これにより、電源コードが収容部に収容される。
【先行技術文献】
【特許文献】
【０００４】
【特許文献１】特許第４７２３９１４号公報
【発明の概要】
【発明が解決しようとする課題】
【０００５】
しかしながら、上記特許文献１に記載の警報器では、警報器本体に接続されている電源コードを、警報器本体とは別個に形成されたケース部材の掛止め部に引っ掛けられた状態を維持しながら、裏側部材にケース部材を取り付ける必要がある。このため、警報器本体（裏側部材）にケース部材を取り付ける作業中に、警報器本体と掛止め部との距離が変化して、警報器本体と掛止め部との間に配置される電源コードの長さが変化してしまうという不都合がある。たとえば、警報器本体と掛止め部との間に配置される電源コードの長さが増大した場合、長さが余分な分、電源コードが収容部内で撓んで、撓んだ電源コードと、巻き付けられる電源コードとが干渉する場合があると考えられる。この場合、電源コードを適切に巻き付けるのが困難になる。また、警報器本体と掛止め部との距離が変化しないように、警報器本体（裏側部材）にケース部材を取り付ける作業は容易ではなく、警報器の組立作業性が低下する。したがって、従来、電源コード同士が干渉するのを抑制しながら、警報器の組立作業性が低下するのを抑制することが可能な警報器が望まれていた。
【０００６】
この発明は、上記のような課題を解決するためになされたものであり、この発明の１つの目的は、電源コード同士が干渉するのを抑制しながら、警報器の組立作業性が低下するのを抑制することが可能な警報器を提供することである。
【課題を解決するための手段】
【０００７】
上記目的を達成するために、この発明の一の局面における警報器は、センサおよびセンサによる検知を報知する報知部が内部に配置されている警報器本体と、警報器本体の背面に取付可能に構成され、警報器本体の背面との間において、警報器本体には、電源コードが巻き回される領域内に電源コードを保持する保持部が設けられており、警報器本体の背面には、電源コードをガイドするガイド溝部が設けられており、保持部は、ガイド溝部とは別個に設けられている。
【０００８】
この発明の一の局面による警報器では、上記のように、警報器本体に、電源コードが巻き回される領域内に電源コードを保持する保持部を設け、警報器本体の背面に、電源コードをガイドするガイド溝部を設け、保持部を、ガイド溝部とは別個に設ける。これにより、電源コードを警報器本体の保持部により保持させた状態で、警報器本体に電源コード収容部材を取り付けることができるので、電源コード収容部材に掛止め部を設ける場合と異なり、警報器本体と保持部との距離が変化しない状態で、警報器本体に電源コード収容部材を取り付けることができる。その結果、警報器本体と保持部との距離が変化しないことにより、電源コードが撓んで収容部に配置される電源コード同士が干渉することを抑制することができる。この結果、電源コードを適切に収容部に配置することができる。また、作業者によって警報器本体と掛止め部との距離が変化しないように作業する必要がないので、警報器の組立作業性が低下するのを抑制することができる。したがって、電源コード同士が干渉するのを抑制しながら、警報器の組立作業性が低下するのを抑制することができる。
【０００９】
上記一の局面による警報器において、好ましくは、保持部は、警報器本体の背面から電源コード収容部材側に突出するとともに、電源コードを挟んで保持する一対の突出部を含む。このように構成すれば、一対の突出部の間に電源コードを配置することにより、電源コードを保持部によって容易に保持させることができる。
【００１０】
この場合、好ましくは、一対の突出部は、電源コードの横断面形状における長手方向の長さよりも小さく、かつ、電源コードの横断面形状における短手方向の長さ以上の距離を隔てて配置されている。このように構成すれば、電源コードが一対の突出部に配置される方向（横断面の向き）を規制することができる。これにより、たとえば、電源コードの横断面の向きを、電源コードが収容部に配置される（巻回される）際の向きに合わせれば、別途、電源コードの横断面の向きを矯正する作業を行うことなく、電源コードを収容部に配置することができる。この結果、警報器の組立作業工程数を削減することができる。
【００１１】
上記一の局面による警報器において、好ましくは、保持部は、ガイド溝部に沿って配置されている。このように構成すれば、警報器の組立作業時に、電源コードが警報器本体の背面において、電源コードがガイド溝部からずれるのを抑制しながら、保持部により電源コードを保持することができる。
【００１２】
上記一の局面による警報器において、好ましくは、保持部は、警報器本体の背面から電源コード収容部材側に突出するとともに、電源コードをガイドするガイド壁部を含む。このように構成すれば、保持部を、電源コードをガイドする機能および電源コードを保持する機能の両方を有するように構成することができる。
この場合、好ましくは、ガイド壁部は、ガイド溝部の内壁部に連続して形成されている。
【００１３】
上記一の局面による警報器において、好ましくは、警報器本体には、電源コードが巻き回される領域外に設けられ、警報器本体内部から電源コードが取り出されるコード取出し部が設けられており、ガイド溝部は、コード取出し部から保持部まで電源コードをガイドするように形成されている。
【発明の効果】
【００１４】
本発明によれば、上記のように、電源コード同士が干渉するのを抑制しながら、警報器の組立作業性が低下するのを抑制することができる。
【図面の簡単な説明】
【００１５】
【図１】本発明の一実施形態による警報器の構成を示した斜視図である。
【図２】本発明の一実施形態による警報器の構成を示した分解斜視図である。
【図３】本発明の一実施形態による電源コードの横断面図である。
【図４】本発明の一実施形態による背面側ケース部および取付板の構成を示した斜視図である。
【図５】本発明の一実施形態による背面側ケース部および取付板の構成を示した断面図である。
【図６】本発明の一実施形態による収容部に電源コードが巻回された状態を説明するための背面図である。
【図７】本発明の一実施形態による領域Ｒ１およびＲ２を説明するための図である。
【図８】本発明の一実施形態による第１壁部および第２壁部の構成を示す断面図である。
【図９】本発明の一実施形態による保持部の構成を示す斜視図である。
【図１０】本発明の一実施形態の変形例による保持部を模式的に示した図である。
【発明を実施するための形態】
【００１６】
以下、本発明を具体化した実施形態を図面に基づいて説明する。
【００１７】
（警報器の全体構成）
図１〜図９を参照して、本発明の一実施形態による警報器１００の構成について説明する。
【００１８】
図１および図２に示すように、本実施形態による警報器１００は、センサ１と表示部２とスピーカ３と基板４とを備える。そして、警報器１００は、センサ１により検知対象物（たとえば、被検知ガス）を検知した場合に、基板４に形成された検知回路および制御回路の処理に基づいて、表示部２またはスピーカ３の少なくとも一方により検知対象部の検知を報知する（表示または発声を行う）ように構成されている。また、図２に示すように、基板４には、電源コード５（電気コード、電源ケーブル）が接続されている。これにより、基板４に接続された電源コード５を介して電力が基板４に供給される。なお、表示部２およびスピーカ３は、特許請求の範囲の「報知部」の一例である。また、基板４は、特許請求の範囲の「警報器本体」の一例である。
【００１９】
警報器１００は、壁掛け用の警報器として構成されている。具体的には、警報器１００は、本体ケース１０と、本体ケース１０の背面１１の側（矢印Ｙ２方向側）に設けられた取付板２０とを備える。たとえば、取付板２０の孔部２１が壁（建築物の壁）に固定されている締結部材（図示せず）に引っ掛けられることにより、取付板２０（警報器１００）が壁に配置される。なお、本体ケース１０は、特許請求の範囲の「警報器本体」の一例である。また、取付板２０は、特許請求の範囲の「電源コード収容部材」の一例である。
【００２０】
なお、本願明細書では、「背面側」とは、警報器１００の表示部２が配置されている側を「前面側」とした場合の裏面側を意味し、図１の矢印Ｙ２方向側を意味するものとする。また、「上」は、矢印Ｚ１方向、「下」は、矢印Ｚ２方向、「左」は、矢印Ｘ１方向、「右」は、矢印Ｘ２方向を意味するものとする。
【００２１】
本体ケース１０の内部には、複数のセンサ１が設けられている。センサ１は、ガス検知センサ、温度センサ、または、煙センサとして構成されている。たとえば、センサ１は、一酸化炭素ガスを被検知ガスとするＣＯセンサと、都市ガス（メタンガス）を検知するメタンガスセンサとを含む。そして、警報器１００は、本体ケース１０の通気孔部１０ａを介して、本体ケース１０の外部から本体ケース１０の内部に、被検知ガスを導入（通気）することにより、センサ１により被検知ガスを検出するように構成されている。
【００２２】
表示部２は、たとえば、発光ダイオード（ＬＥＤ）を含み、本体ケース１０を介して、矢印Ｙ１方向側に発光するように構成されている。スピーカ３は、本体ケース１０の内部に配置されており、本体ケース１０のスピーカ用孔部１０ｂを介して、音を警報器１００の外部に発するように構成されている。
【００２３】
警報器１００は、電源コード５が、商用電源（図示せず）に接続されることにより、商用電源から電源コード５を介して、基板４に電力が供給されるように構成されている。また、図３に示すように、電源コード５は、たとえば、２本の導線が並列して形成されている。そして、電源コード５は、２本の導線の並列方向を長手方向として、長さＬ１を有し、並列方向に垂直な方向を短手方向として、長さＬ２を有する。すなわち、電源コード５は、横断面形状の長手方向に長さＬ１を有し、横断面形状の短手方向に長さＬ１よりも小さい長さＬ２を有する。
【００２４】
（本体ケースに対する取付板の取付に関する構成）
図２に示すように、本体ケース１０は、本体ケース１０の前面側を構成する前面側ケース部１２と、本体ケース１０の背面１１を含み本体ケース１０の背面側を構成する背面側ケース部１３と、本体ケース１０の前面側の下側（矢印Ｚ２方向側）に配置されているスイッチ部１４とを含む。
【００２５】
本実施形態では、取付板２０は、本体ケース１０の背面１１に取付可能に構成されている。具体的には、本体ケース１０（背面側ケース部１３）の背面１１側には、第１ケース側係合部１５ａと第２ケース側係合部１５ｂとが設けられている。また、取付板２０の前面２２側（矢印Ｙ１方向側）には、第１ケース側係合部１５ａに係合する第１板側係合部２３ａと、第２ケース側係合部１５ｂに係合する第２板側係合部２３ｂとが設けられている。
【００２６】
たとえば、第１ケース側係合部１５ａは、背面１１の中央部において、左右方向（Ｘ方向）に一対設けられており、先端部がテーパ状に形成されている。すなわち、図５に示すように、第１ケース側係合部１５ａおよび第１板側係合部２３ａは、スナップフィットとして構成されており、本体ケース１０と取付板２０とが組み合わされることにより、一対の第１ケース側係合部１５ａと第１板側係合部２３ａとが、係合（嵌合）されるように構成されている。
【００２７】
また、第２ケース側係合部１５ｂおよび第２板側係合部２３ｂは、たとえば、第１ケース側係合部１５ａおよび第１板側係合部２３ａと同様にスナップフィットとして構成されている。これにより、本体ケース１０と取付板２０とが組み合わされることによって、第２ケース側係合部１５ｂと第２板側係合部２３ｂとが、係合（嵌合）されるように構成されている。
【００２８】
なお、警報器１００は、本体ケース１０と取付板２０とがＹ方向に互いに引き離された場合、第１ケース側係合部１５ａと第１板側係合部２３ａとの係合が外れるとともに、第２ケース側係合部１５ｂと第２板側係合部２３ｂとの係合が外れて、本体ケース１０から取付板２０を脱離させることも可能に本体ケース１０と取付板２０とは構成されている。
【００２９】
（保持部の構成）
図４に示すように、本体ケース１０の背面１１には、本体ケース１０の内部に配置された基板４（図２参照）に接続されている電源コード５が配置されるコード取出し部１６が設けられている。詳細には、コード取出し部１６は、本体ケース１０の左右方向（たとえば、矢印Ｘ１方向側）の端部近傍で、かつ、本体ケース１０の上下方向（たとえば、矢印Ｚ１方向側）の端部近傍に設けられている。また、図６に示すように、コード取出し部１６は、電源コード５が巻回される領域Ｒ１の外部に配置されている。そして、コード取出し部１６は、孔形状を有し、孔を貫通するように電源コード５が配置されている。
【００３０】
ここで、領域Ｒ１とは、図７に示すように、電源コード５が巻回される領域であり、本体ケース１０の背面１１と取付板２０の前面２２との間（収容部３０）において、上側巻回ガイド部３１と下側巻回ガイド部３２との外側の領域を意味する。また、領域Ｒ２とは、収容部３０において、上側巻回ガイド部３１と下側巻回ガイド部３２との内側の領域を意味する。
【００３１】
図６に示すように、本実施形態では、本体ケース１０の背面１１に、電源コード５を保持する保持部６が設けられている。保持部６は、本体ケース１０の背面１１から取付板２０側に突出する壁状に形成されている第１壁部６１と第２壁部６２とを含む。なお、第１壁部６１と第２壁部６２とは、特許請求の範囲の「一対の突出部」の一例である。
【００３２】
図８に示すように、第１壁部６１および第２壁部６２は、電源コード５を挟んで保持するように構成されている。具体的には、図６に示すように、本実施形態では、本体ケース１０と取付板２０とが組み合わされた状態で、第１壁部６１および第２壁部６２は、後述する上側巻回ガイド部３１と下側巻回ガイド部３２との間に配置されている。すなわち、第１壁部６１および第２壁部６２は、矢印Ｙ２方向側から見て、電源コード５が巻回される領域Ｒ１よりも内側（中心側）の領域Ｒ２（図７参照）に配置されている。
【００３３】
また、第１壁部６１および第２壁部６２は、好ましくは、少なくとも第１壁部６１および第２壁部６２により電源コード５を保持している部分Ｐ１の近傍において、電源コード５が本体ケース１０の背面１１に接触した状態で、電源コード５を保持するように構成されている。
【００３４】
また、好ましくは、保持部６は、少なくとも部分Ｐ１において、電源コード５が本体ケース１０の背面１１に接触した状態で、電源コード５を保持するように構成されている。これにより、たとえば、保持部６を掛止め部として構成して、部分Ｐ１において電源コード５が本体ケース１０の背面１１に接触しないで、部分Ｐ１とは異なる部分Ｐ１の近傍のみで、電源コード５が本体ケース１０の背面１１に接触するように構成した場合と異なり、後述する下側巻回ガイド部３２に電源コード５をガイドする際に、背面１１に接触した状態で、電源コード５をガイドすることが可能になる。これにより、容易に電源コード５を巻回し始めることが可能になる。
【００３５】
また、図８に示すように、本体ケース１０と取付板２０とが組み合わされた状態で、電源コード５の前後方向（Ｙ方向）両側および上下方向（Ｚ方向）両側が保持された状態になる。
【００３６】
また、本実施形態では、第１壁部６１と第２壁部６２とは、距離Ｄ１を隔てて配置されている。距離Ｄ１は、電源コード５の横断面形状における長手方向の長さＬ１よりも小さく、かつ、電源コード５の横断面形状における短手方向の長さＬ２以上の距離である。これにより、電源コード５の２本の導線が背面１１に略垂直な方向（Ｙ方向）に並列して配置された状態で、電源コード５が第１壁部６１と第２壁部６２との間に配置される。
【００３７】
図６に示すように、本実施形態では、本体ケース１０の背面１１には、電源コード５をコード取出し部１６から保持部６までガイドするガイド溝部１７が設けられている。たとえば、矢印Ｙ２方向側から見て、ガイド溝部１７は、コード取出し部１６と保持部６との間に略直線状に形成されており、長さＬ１以上の幅Ｗ１（図５参照）を有し、長さＬ２以上の深さｄ１（図５参照）を有する。
【００３８】
ここで、保持部６は、第１壁部６１に連続して形成されているとともに、ガイド溝部１７に沿って配置されたガイド壁部６３を含む。ガイド壁部６３は、ガイド溝部１７の内壁部１７ａの矢印Ｙ２方向側に連続して形成されている。また、ガイド壁部６３は、上側巻回ガイド部３１と下側巻回ガイド部３２との間に配置され、領域Ｒ１よりも内側（巻回内側）の領域Ｒ２に配置されている。
【００３９】
そして、電源コード５は、ガイド壁部６３に接触するとともに、２本の導線が背面１１に沿った方向に並列して配置された状態から、背面１１に略垂直な方向に並列して配置された状態に配置方向が転換されながら配置されている。すなわち、電源コード５が、ガイド壁部６３において、捻じれながら配置されている。たとえば、図６に示すように、電源コード５の２本の導線のうちのガイド壁部６３側に配置された一方の導線が、背面１１から（矢印Ｙ２方向側に）離れるとともに、２本の導線のうちの他方の導線が、一方の導線よりも背面１１側（矢印Ｙ１方向側）に配置されるように、電源コード５が捻られる。
【００４０】
図９に示すように、第１壁部６１とガイド壁部６３との接続部分６４は、弧状（Ｒ状）を有し、弧状の接続部分６４に電源コード５が接触した状態で、第１壁部６１と第２壁部６２との間で電源コード５が保持されている。
【００４１】
また、保持部６には、リブ６５が設けられている。リブ６５は、本体ケース１０の背面１１から矢印Ｙ２方向側に突出する壁部として形成されている。そして、リブ６５は、第１壁部６１およびガイド壁部６３に接続されることにより、第１壁部６１およびガイド壁部６３を補強する機能を有する。また、リブ６５には、締結部材（図示せず）が配置されるケース側締結用孔部６５ａが設けられている。
【００４２】
（収容部の構成）
図５に示すように、本実施形態では、取付板２０は、本体ケース１０の背面１１との間において、電源コード５が収容される収容部３０を構成する。具体的には、図４に示すように、取付板２０には、電源コード５が巻回される上側巻回ガイド部３１と下側巻回ガイド部３２とが設けられている。上側巻回ガイド部３１と下側巻回ガイド部３２とは、それぞれ、取付板２０の前面２２から本体ケース１０に向かって突出する壁部として形成されている。そして、上側巻回ガイド部３１と下側巻回ガイド部３２とは、上下方向に互いに距離を隔てて、一対形成されている。
【００４３】
図６に示すように、上側巻回ガイド部３１の外周面３１ａのうちの上側（矢印Ｚ１方向側）は、円弧状に形成されており、下側巻回ガイド部３２の外周面３２ａのうちの下側（矢印Ｚ２方向側）は、円弧状に形成されている。これにより、電源コード５は、上側巻回ガイド部３１と下側巻回ガイド部３２とに渡って、矢印Ｙ１方向に見て、領域Ｒ１において、楕円を描くように巻回されることにより、収容部３０に収容されている。すなわち、収容部３０は、上側巻回ガイド部３１の外周面３１ａと、下側巻回ガイド部３２の外周面３２ａと、本体ケース１０の背面１１と、取付板２０の前面２２とにより形成されている。そして、電源コード５のプラグ５１近傍は、取付板２０のコード取出し部２６から外部に取り出されている。
【００４４】
また、図４に示すように、上側巻回ガイド部３１は、第１板側係合部２３ａと一体的に形成されている。具体的には、上側巻回ガイド部３１の内周面３１ｂの一部が第１板側係合部２３ａとして形成されている。また、下側巻回ガイド部３２の内周面３２ｂの一部が第２板側係合部２３ｂとして形成されている。
【００４５】
ここで、図５および図６に示すように、電源コード５は、２本の導線が背面１１に略垂直な方向に並列した配置された状態で、上側巻回ガイド部３１および下側巻回ガイド部３２に巻回されている。すなわち、電源コード５は、収容部３０において、短手方向に積層されるように巻回されている。
【００４６】
ここで、第２壁部６２は、電源コード５の巻回をガイドする機能を有する。具体的には、本体ケース１０と取付板２０とが組み合わされた状態で、第２壁部６２と下側巻回ガイド部３２とが接続されることにより、第２壁部６２が電源コード５の巻回開始部分のガイドとして機能する。詳細には、警報器１００は、第２壁部６２の領域Ｒ１側の表面６２ａと、下側巻回ガイド部３２の外周面３２ａとが、本体ケース１０と取付板２０とが組み合わされた状態で略面一となる位置に配置されている。
【００４７】
［警報器の組立方法］
次に、図１〜図９を参照して、本実施形態による警報器１００の組立方法について説明する。
【００４８】
まず、図４に示すように、背面１１側のコード取出し部１６に電源コード５が配置された状態の背面側ケース部１３が準備される。その後、図８および図９に示すように、電源コード５がガイド溝部１７に配置されるとともに、保持部６の第１壁部６１と第２壁部６２との間に電源コード５が配置される。この時、図６に示すように、矢印Ｙ２方向側から見て、ガイド溝部１７のうち、領域Ｒ１とオーバーラップする位置においては、電源コード５は、２つの導線が背面１１に沿った方向に並列して配置された状態となっている。ガイド溝部１７のうち、領域Ｒ１よりも領域Ｒ２においては、電源コード５は、２つの導線が背面１１に垂直な方向に並列して配置された状態となっている。
【００４９】
その後、図５に示すように、背面側ケース部１３に取付板２０が取付けられる。具体的には、背面側ケース部１３および取付板２０がＹ方向に相対移動されることにより、第１板側係合部２３ａと第１ケース側係合部１５ａとが係合するとともに、第２板側係合部２３ｂと第２ケース側係合部１５ｂとが係合される。
【００５０】
その後、図６に示すように、コード巻回装置または作業者により、電源コード５が下側巻回ガイド部３２を巻回開始点として巻回される。そして、電源コード５の２つの導線が背面１１に垂直な方向に並列して配置された状態で、上側巻回ガイド部３１と下側巻回ガイド部３２とを巻枠として巻回される。また、電源コード５は、横断面形状の短手方向に積層されるように巻回される。
【００５１】
その後、取付板２０のコード取出し部２６に電源コード５が配置される。その後、図１に示すように、背面側ケース部１３と前面側ケース部１２とが組み合わせられる。そして、締結部材が、取付板２０に設けられた板側締結用孔部２７およびケース側締結用孔部６５ａに渡って配置される。そして、締結部材が前面側ケース部１２に締結されることにより、前面側ケース部１２と、背面側ケース部１３と、取付板２０とが互いに固定され、背面側ケース部１３と、取付板２０とがねじ止めされ、警報器１００の組立が終了される。
【００５２】
なお、電源コード５の巻回回数を調整することにより、取付板２０のコード取出し部２６からプラグ５１までの電源コード５の長さが調整される。すなわち、電源コード５の巻回を解くことにより、取付板２０（本体ケース１０）からプラグ５１までの電源コード５の長さを大きくすることができる。
【００５３】
［本実施形態の効果］
本実施形態では、以下のような効果を得ることができる。
【００５４】
本実施形態では、上記のように、本体ケース１０に、電源コード５を保持する保持部６を設ける。これにより、電源コード５を本体ケース１０の保持部６により保持させた状態で、本体ケース１０に取付板２０を取り付けることができるので、取付板２０に掛止め部を設ける場合と異なり、本体ケース１０と保持部６との距離が変化しない状態で、本体ケース１０に取付板２０を取り付けることができる。その結果、本体ケース１０と保持部６との距離が変化しないことにより、電源コード５が撓んで収容部３０に配置される電源コード５同士が干渉することを抑制することができる。この結果、電源コード５を適切に収容部３０に巻回することができる。また、作業者によって本体ケース１０と掛止め部との距離が変化しないように作業する必要がないので、警報器１００の組立作業性が低下するのを抑制することができる。したがって、電源コード５同士が干渉するのを抑制しながら、警報器１００の組立作業性が低下するのを抑制することができる。
【００５５】
また、本実施形態では、上記のように、保持部６に、本体ケース１０の背面１１から取付板２０側に突出するとともに、電源コード５を挟んで保持する第１壁部６１と第２壁部６２とを設ける。これにより、第１壁部６１と第２壁部６２との間に電源コード５を配置することにより、電源コード５を保持部６によって容易に保持させることができる。
【００５６】
また、本実施形態では、上記のように、第１壁部６１と第２壁部６２とを、電源コード５の横断面形状における長手方向の長さＬ１よりも小さく、かつ、電源コード５の横断面形状における短手方向の長さＬ２以上の距離Ｄ１を隔てて配置する。これにより、電源コード５が第１壁部６１と第２壁部６２とに配置される方向（横断面の向き）を規制することができる。また、上記のように、電源コード５の横断面の向きを、電源コード５が収容部３０に配置される（巻回される）際の向きに合わせれば、別途、電源コード５の横断面の向きを矯正する作業を行うことなく、電源コード５を収容部３０に配置することができる。この結果、警報器１００の組立作業工程数を削減させることができる。
【００５７】
また、本実施形態では、上記のように、本体ケース１０の背面１１に、電源コード５をガイドするガイド溝部１７を設ける。また、保持部６に、ガイド溝部１７に沿って配置されている。これにより、警報器１００の組立作業時に、電源コード５が本体ケース１０の背面１１において、電源コード５がガイド溝部１７からずれるのを抑制しながら、保持部６により電源コード５を保持することができる。
【００５８】
また、本実施形態では、上記のように、保持部６に、本体ケース１０の背面１１から取付板２０側に突出するとともに、電源コード５をガイドするガイド壁部６３を設ける。これにより、保持部６を、電源コード５をガイドする機能および電源コード５を保持する機能の両方を有するように構成することができる。そして、本体ケース１０の背面１１から取付板２０側に突出させるガイド壁部６３を設けることにより、比較的複雑な形状を有する掛止め部に比べて、容易に保持部６を形成することができる。
【００５９】
また、本実施形態では、上記のように、収容部３０を、取付板２０と一体的に形成する。また、収容部３０に、電源コード５が巻回される上側巻回ガイド部３１と下側巻回ガイド部３２とを設ける。そして、保持部６を、上側巻回ガイド部３１と下側巻回ガイド部３２との間に配置する。これにより、収容部３０を取付板２０と一体的に形成することにより、収容部３０が本体ケース１０に設けられている場合に比べて、取付板２０の機械的強度を向上させることができる。保持部６を上側巻回ガイド部３１と下側巻回ガイド部３２との間に配置することにより、保持部６と巻回される電源コード５とが干渉しない。また、電源コード５を下側巻回ガイド部３２までガイドする作業や保持部６とは別個にガイド部を設けることなく、下側巻回ガイド部３２に電源コード５の巻回を開始させることができる。
【００６０】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６１】
たとえば、上記実施形態では、壁掛け用の警報器として構成する例を示したが、本発明はこれに限られない。たとえば、天井配置用の警報器として構成してもよい。
【００６２】
また、上記実施形態では、上側巻回ガイド部および下側巻回ガイド部を、取付板と一体的に形成する例を示したが、本発明はこれに限られない。たとえば、本体ケースの背面に上側巻回ガイド部および下側巻回ガイド部を形成してもよい。
【００６３】
また、上記実施形態では、電源コード収容部材の一例として取付板を示したが、本発明はこれに限られない。たとえば、電源コード収容部材を取付板としての機能を有さない専用の部材として構成してもよい。
【００６４】
また、上記実施形態では、保持部を壁状に形成する例を示したが、本発明はこれに限られない。たとえば、図１０に示す変形例による警報器２００のように、保持部２０６を柱状に形成してもよい。たとえば、保持部２０６は、背面１１から突出する一対の柱状のボス２０６ａおよび２０６ｂを含む。そして、警報器２００では、電源コード５が一対のボス２０６ａおよび２０６ｂにより挟まれた状態で保持される。
【００６５】
また、上記実施形態では、本体ケースの背面にガイド溝部を設ける例を示したが、本発明はこれに限られない。すなわち、電源コードの位置がずれにくいか、電源コードが撓みにくい構成ならば、本体ケースの背面にガイド溝部を設けなくてもよい。
【００６６】
また、上記実施形態では、電源コードを、長手・短手を有する横断面形状を有するように構成する例（図３参照）を示したが、本発明はこれに限られない。たとえば、電源コードを、長手・短手を有さず正方形の横断面形状を有するように構成してもよい。
【００６７】
また、上記実施形態では、取付板を、本体ケース部の背面から脱離可能に構成する例を示したが、本発明はこれに限られない。すなわち、取付板は、本体ケース部の背面に取付可能に構成されていればよく、取付板と本体ケース部とを接着または溶着することにより、本体ケース部の背面から取付部を取り外せない構造に構成してもよい。
【００６８】
また、上記実施形態では、保持部を、少なくとも保持部または保持部近傍において、電源コードが本体ケースの背面に接触した状態で、電源コードを保持するように構成する例を示したが、本発明はこれに限られない。すなわち、保持部を、電源コードを保持することが可能に構成されていれば、保持部または保持部近傍において、電源コードが本体ケースの背面から離間していてもよい。
【００６９】
また、上記実施形態では、電源コードの２本の導線のうちのガイド壁部側に配置された一方の導線が、背面から離れるとともに、２本の導線のうちの他方の導線が、一方の導線よりも背面側に配置されるように、電源コードが捻られる例を示したが、本発明はこれに限られない。たとえば、電源コードの２本の導線のうちのガイド壁部側に配置された一方の導線が、２本の導線のうちの他方の導線よりも背面側に配置されるとともに、他方の導線が、背面から離れるように、電源コードが捻られてもよい。
【符号の説明】
【００７０】
１  センサ
２  表示部（報知部）
３  スピーカ（報知部）
４  基板（警報器本体）
５  電源コード
６、２０６  保持部
１０  本体ケース（警報器本体）
１１  背面
１７  ガイド溝部
２０  取付板（電源コード収容部材）
３０  収容部
３１  上側巻回ガイド部（巻回ガイド部）
３２  下側巻回ガイド部（巻回ガイド部）
６１  第１壁部（突出部）
６２  第２壁部（突出部）
６３  ガイド壁部
１００、２００  警報器
２０６ａ、２０６ｂ  ボス（突出部）
【図１】
2018185788.tif 000003
【図２】
2018185788.tif 000004
【図３】
2018185788.tif 000005
【図４】
2018185788.tif 000006
【図５】
2018185788.tif 000007
【図６】
2018185788.tif 000008
【図７】
2018185788.tif 000009
【図８】
2018185788.tif 000010
【図９】
2018185788.tif 000011
【図１０】
2018185788.tif 000012